(57)【要約】【課題】枠材に組み込み固定された網体で構成されてなるスクリ−ン型防虫網戸の掃除において、網体を片面から擦る、拭く等に因る不均衡な力による網体の破損を回避、水使用量を節減、水飛散の防止、狭い場所でも掃除が出来る、掃除時間を短縮する、このような課題があった。【解決手段】取水口（５）を擁した把手（４）よりＵ字状且つ2方向に枝分かれしてなる網戸枠材外部より網体の表裏を同時に挟む事の出来る棒状部材（２）に、網体の掃除必要面に直接触れて掃除をする柔軟性の有る毛状の清掃部材（３）を対向付設する。また棒状部材（２）には、取水口（５）より送水路（６）、散水孔（７）へと連通した網戸の洗浄水の通り道を設け、散水孔（７）から適度に洗浄水を出しながら棒状部材（２）を上下或は前後等に動かして清掃部材（３）により均等の力で網体の表裏両面を同時に擦り水洗いする事の出来る戸の掃除具（１）を作る。【選択図】  図１
0003124101.tif 000002
【実用新案登録請求の範囲】
【請求項１】
枠材に組み込み固定された網体で構成されてなるスクリ−ン型防虫網戸において、該枠材外部より網体の表裏を同時に挟む事の出来る棒状部材（２）に、網体の掃除必要面に直接触れて掃除をする柔軟性の有る清掃部材（３）を対向付設した、網体の表裏を同時に掃除の出来る事を特徴とする戸の掃除具。
【請求項２】
棒状部材（２）の内側方向に向け対向付設する清掃部材（３）は、柔軟性の有る毛状材が、棒状部材（２）の先端部（２ａ）から分岐部（２ｂ）まで密に、植毛されている事を特徴とする請求項１に記載の戸の掃除具。
【請求項３】
清掃部材（３）への毛状材の植毛は、散水孔（７）を挟み上下に、或は散水孔（７）の周囲に離隔を取り植毛して、水の出口を確保し一時的に水が留まる空間部（８）を構成するように植毛されている事を特徴とする請求項１〜請求項２に記載の戸の掃除具。
【請求項４】
網体の表裏を挟む事の出来る棒状部材（２）は、把手部（４）を持ち、且つその把手部（４）よりＵ字状且つ2方向に枝分かれした棒状で構成されている事を特徴とする請求項１〜請求項３に記載の戸の掃除具。
【請求項５】
把手部（４）には、網体の洗浄水を取り入れる取水口（５）が併設されている事を特徴とする請求項１〜請求項４に記載の戸の掃除具。
【請求項６】
網体の表裏を挟む事の出来る棒状部材（２）には、把手部（４）に設けた取水口（５）から洗浄水を誘導する為の連通した送水路（６）、及び網体の掃除必要面の随所に水を掛ける散水孔（７）が設けてある事を特徴とする請求項１〜請求項５に記載の戸の掃除具。
【考案の詳細な説明】
【技術分野】
【０００１】
本考案は、家庭等で多く使用されている枠材に組み込み固定されてなる網体で構成されるスクリ−ン型防虫網戸において、網戸の表裏両面を一度に綺麗にし、時間短縮や、使用水の節約をも成して簡易に網戸の掃除を行う為の、戸の掃除具に関するもので有る。
【背景技術】
【０００２】
家庭等で、ガラス窓と併用して多く使用されている枠材に組み込み固定されてなる網体で構成されるスクリ−ン型防虫網戸は、常に風雨や埃等に晒され汚れやすい場所に有る。降雨等によって汚れを洗い流される事は少なく、雨や埃、空気中の浮遊物等に因り汚れる事は早い。汚れた網戸は外観を損ねるばかりでなく室内の清潔感をも害す事になる。
【０００３】
上記のような埃等の汚れを除去するための掃除方法としては、ホ−スや如雨露等で水をかけブラシ等で擦る、洗剤等を吹き付け拭き取る、或は特許文献１、特許文献２、特許文献３のような掃除具に因る汚れの除去等の掃除方法で対処している。
【特許文献１】特開２００２−０１７６１９公報
【特許文献２】特開２００２−２４８７３０公報
【特許文献３】特開２００４−２９１６５９公報
【０００４】
この様な対処方法を検証してみる。先ず、ホ−スや如雨露等で水をかけ専用ブラシ等で擦って汚れを除去する方法は、水は網体に留まらないため、ホ−ス等で水をかけブラシで擦り再びホ−スや如雨露等で水をかけて汚れの除去をする必要がある、この為に水使用量の増加や水圧等に因り網体に掛けた水の飛散が避けられない。次に、専用洗剤等を吹き付けて拭き取り汚れを除去する方法は、洗剤等が網体に留まらないため、洗剤等の使用量が増加する。特許文献１、の布で拭き取り汚れを除去する方法は、網体の表裏の汚れは落ちても直接布の当らない所の汚れは残る可能性が有る。特許文献２、の器の中に水を入れこの水を使用しながら器と一体化した刷毛を使用し汚れを除去する方法は、器の中には大量の水は入れられない、従って再三水の補給が必要となる、少量の水では汚れを流しきれない。等の問題が其々に有る。また、特許文献３、の掃除機の吸引を利用してハタキを回転させ掃除する方法は、汚れの度合によっては網体の綺麗な掃除は出来ない場合もあり得る。
【０００５】
次に、上記掃除方法の共通の問題点として、何れも片側からの掃除であるために掃除の時間がかかる、また特許文献３を除けば汚れを除去する場合の擦る、拭くと言った作業で、片側から網体にかかる力に因っては戸の破損を招くこともあり得る。
【考案の開示】
【考案が解決しようとする課題】
【０００６】
本考案において解決しようとする課題としては、前述スクリ−ン型防虫網戸において、網体の片側から擦る、拭く等に因り網体にかかる不均衡な力による破損を回避する。また、水や洗剤の使用量の節減をする、水の飛散をさせない。さらに、狭い場所でも掃除が出来、掃除時間をも短縮する。このような課題があった。
【課題を解決するための手段】
【０００７】
本考案は前記課題を解決するため第一に、把手部（４）よりＵ字状且つ２方向に枝分かれしてなる、網戸の枠材外部より戸の表裏を同時に挟む事の出来る棒状部材（２）に、網体の掃除必要面に直接触れて掃除をする柔軟性の有る毛状の清掃部材（３）を対向付設する。この毛状の清掃部材（３）は、散水孔（７）を挟み上下に或は散水孔（７）の周囲に離隔を取って柔軟性の有る毛状材を密に植毛したものであり、水の出口を確保し一時的に水が留まる空間部（８）を構成している。
【０００８】
第二に、棒状部材（２）に網体の洗浄水を取り入れる取水口（５）から連通した洗浄水を誘導する為の送水路（６）及び網体の掃除必要面の随所に水を掛ける散水孔（７）を設ける。この様に構成した棒状部材（２）で網体の表裏を同時に挟み、取水口（５）、送水路（６）を経てきた水を散水孔（７）から適度に出しながら棒状部材（２）を上下或は前後に動かして清掃部材（３）により網戸の表裏を同時に掃除の出来る戸の掃除具（１）を作る。
【考案の効果】
【０００９】
本考案の戸の掃除具（１）は、柔軟性の有る毛状材を密に植毛した清掃部材（３）の先端部（３ａ）によって網体の表裏両面を均等の力で擦ることが出来、片側からの不均衡な力による網体の破損を回避出来る。次に、清掃部材（３）の空間部（８）で一時的に留まった水で水洗とをし、同時に毛状材で擦り汚れを落とす事に因り使用水量の節減が図れる。また、散水孔（７）の周囲を取り巻く毛状材で極度な水の飛散抑制をも図れる為ベランダ等の狭い場所でも掃除が出来る。さらに、網戸は軽量であり取り外して掃除を行うことが多く、網戸の表裏両面を一度に掃除出来る事から掃除時間を短縮出来る等の効果がある。
【考案を実施するための最良の形態】
【００１０】
本考案の戸の掃除具（１）の実施形態を図１乃至図６により説明していく。図１は、本考案の戸の掃除具（１）の全体斜視図である。この戸の掃除具（１）は、網戸の枠材外部より網体の表裏を同時に挟み、戸の半分ずつを両側から掃除する掃除具の為、棒状部材（２）の長さを平均的網戸横幅の２分の１強の長さ５０ｃｍ〜５５ｃｍ程度とする事が好ましい。このことは、短すぎると戸の中間部に掃除不能箇所が出来、また長過ぎると扱い難くなる可能性が生じる為である。しかし、この長さに拘る必要の無い事は言うまでも無い。
【００１１】
図２は本考案の戸の掃除具（１）によって網戸の枠材外部より網体（９a）の半分が表裏両面同時に挟まれた状態を示す斜視図である。この図の様に網戸を挟んだ戸の掃除具（１）は、網体の洗浄水を取り入れる取水口（５）より取り入れた水を、図中に表しては無いが送水路（６）を通過させ散水孔（７）から適度に出し、上下或は前後等に動かして水や清掃部材（３）を使い擦る事で戸の網体に付着した汚れを落とす。
【００１２】
図３は、本考案に係る戸の掃除具（１）の平面図である。図の様に、棒状部材（２）は把手部（４）よりＵ字状且つ左右2方向に枝分かれしている。先ず左側半分は棒状部材（２）への清掃部材（３）の植毛位置を平面的に見た状態にある。この植毛は、棒状部材（２）の先端部（２ａ）から分岐部（２ｂ）まで密に植毛する、また棒状部材（２）相互からの対向付設は、毛状材の互いの先端部（３ａ）が僅かに接触する程度の状態が好ましい。これらの植毛は散水孔（７）の周囲或は散水孔（７）をはさみ上下に離隔を取った場合でも平面図上は同じである。次に右側半分は、洗浄水を取り入れる取水口（５）より連通した洗浄水を誘導する為の送水路（６）、及び網体の掃除必要面の随所に水を掛ける散水孔（７）へと水の通り道の状況を表す局部平面図である。該取水口（５）より入って来た洗浄水は送水路（６）を通過し散水孔（７）より出て戸の掃除の一助となる。
【００１３】
図４は、本考案の戸の掃除具（１）の図３、Ａ−Ａ断面の拡大図である。棒状部材（２）、清掃部材（３）、送水路（６）、散水孔（７）、空間部（８）、清掃部材（３）の植毛状況等其々の位置や形状が把握出来る状態にある。散水孔（７）より出た水は網体の汚れの軟化や掃除をし、その後汚れと一緒に清掃部材（３）の隙間から排出される。
【００１４】
図５は、本考案の戸の掃除具（１）の図３、Ｂ−Ｂ断面の、散水孔（７）をはさみ上下に離隔を取った場合の部分拡大図である。棒状部材（２）、散水孔（７）、空間部（８）、さらに清掃部材（３）の植毛状況等の位置や形状が把握出来る状態にある。
【００１５】
図６は、本考案の戸の掃除具（１）の図３、Ｂ−Ｂ断面の、散水孔（７）の周囲に離隔を取った場合の部分拡大図である。棒状部材（２）、散水孔（７）、空間部（８）、さらに清掃部材（３）の植毛状況等の位置や形状が把握出来る状態にある。
【００１６】
上記のようにして構成された本考案の戸の掃除具（１）の効果を検証してみる。網戸は雨や埃、空気中の浮遊物等に因り汚れる事が多く、水使用に因り簡単に汚れを落とす事が出来る。したがって、本考案の戸の掃除具（１）を利用して、水を出しながら清掃部材（３）の先端部（３ａ）によって網体(９ａ)を擦れば簡単に汚れは除去できる。網体の表裏両面を均等の力で擦ることで網体に無理な力が掛からない、従って片側からの掃除の様に不均衡な力による破損が回避できる。また、散水孔（７）より適度に水を出しながら水掛を行えば使用水量の節減や飛散も軽減出来る。さらに、戸の表裏両面を一度に掃除すれば時間の短縮が出来る。この様に本考案の戸の掃除具（１）は利点を多く兼ね備えて居る。
【００１７】
次に、棒状部材（２）や把手（４）其々の断面形状は、図に示すように連通した取水口（５）、送水路（６）、散水孔（７）を設ける事が出来、さらに棒状部材（２）については清掃部材（３）の取り付けも可能な断面であれば方形や多角形、円形、或はそれらの形状の組み合せ等その他様々な形で構成しても良い。また、連通した取水口（５）、送水路（６）、散水孔（７）の断面形状も同様に様々な形で構成しても良い。さらに棒状部材（２）の分岐部（2a）から先端部（2b）へかけての形状も、戸の掃除具（１）の本考案の効果が得られれば直線的な形状に限らず波形や曲線等様々な形で構成しても良い。
【００１８】
清掃部材（３）で構成する空間部（８）は、水の出口確保や一時的に水が留まる空間である。この水の留まりは、随時水の供給がなされる為瞬時であって差し支えない。
【００１９】
把手（４）は、図７に示すような箇所に取り付ける事も可能でありこの場合補助把手（１０）を付ければ操作し易い。しかし、把手（４）の位置はこの限りでなく、本考案の戸の掃除具（１）で戸の網体の表裏両面を同時に擦り綺麗に掃除し、水や時間の節約等本考案の効果が得られれば棒状部材（２）のいかなる位置にあっても差し支えない。
【００２０】
以上の様に構成されたこの戸の掃除具（１）は、棒状部材（２）に対向敷設した清掃部材（３）に因り戸の網体部を均等の力で擦るため、毛状の清掃部材（３）は同等の長さであり、先端部（3a）はお互いに僅かに接触する程度の状態が好ましいがこの限りではない。
【００２１】
前述散水孔（７）から前述空間部（８）へ入って来た水は、戸の掃除具（１）を上下或は前後等に動かす事によって毛状部材と共に汚れを落とし下方へ排出される。また掃除に使用される水量は少なく、空間部（８）を構成する清掃部材（３）の影響も有り飛散は抑制される、この為ベランダ等の狭い場所での掃除も簡単に行える。この様な方法で戸の掃除具（１）は水を使用して網戸のみならずガラス窓等の水洗い掃除にも活用出来る。
【００２２】
本考案の戸の掃除具（１）の素材は、軽量で成型がし易く耐水性の有るプラスチックやポリエチレン等が好ましいが、本考案の効果が得られればこれらの素材に拘る必要はない。
【００２３】
また別の利用法として、水を使用せずに簾戸や夏障子、掛け障子、欄間等様々な戸の掃除にも利用できる。この場合、掃除時の埃飛散を防止する為に取水口（５）に吸引器具等を装着すれば細かな埃等の吸い取りも可能と成り室内の空気汚染をも軽減できるが使用形態はこれらのものに限定されるものではない。
【図面の簡単な説明】
【００２４】
【図１】本考案の、戸の掃除具（１）全体の形状を表す斜視図である。図中、清掃部材（３）の植毛範囲は斜線塗り潰しで表現している。
【図２】本考案の、戸の掃除具（１）によって網戸の半分が表裏両面同時に挟まれた状態を示す斜視図である。
【図３】本考案の、戸の掃除具（１）の平面図であり、棒状部材（２）がＵ字状且つ左右への枝分かれ状態が把握出来る状態にある。左側半分は棒状部材（２）への清掃部材（３）の植毛位置を平面的に見た状態、また右側半分は取水口（５）より連通した送水路（６）散水孔（７）へと水の通り道の状況を表す局部平面図である。
【図４】本考案の、戸の掃除具（１）の図３、Ａ−Ａ断面の、拡大図断面である。
【図５】本考案の、戸の掃除具（１）の図３、Ｂ−Ｂ断面の、散水孔（７）をはさみ上下に離隔を取った場合の部分拡大断面図である。
【図６】本考案の、戸の掃除具（１）の図３、Ｂ−Ｂ断面の、散水孔（７）の周囲に離隔を取った場合の部分拡大断面図である。
【図７】本考案の、戸の掃除具の把手（４）等の取り付け箇所の他の１例を表す。
【符号の説明】
【００２５】
１    戸の掃除具
２    棒状部材
２a   棒状部材先端部
２b   棒状部材分岐部
３    清掃部材
３a   清掃部材先端部
４    把手
５    取水口
６    送水路
７    散水孔
８    空間部
９    網戸
９ａ  網体
10    補助把手
【図１】
0003124101.tif 000003
【図２】
0003124101.tif 000004
【図３】
0003124101.tif 000005
【図４】
0003124101.tif 000006
【図５】
0003124101.tif 000007
【図６】
0003124101.tif 000008
【図７】
0003124101.tif 000009